(57)【要約】  【課題】  ユーザの色の見えに関する特性を考慮して色変換を行えるようにする。  【解決手段】  ユーザ情報を受け付けるユーザ情報受付部１０と、環境情報を受け付ける環境情報受付部２０と、等色実験の結果を取得する等色結果取得部５０と、等色実験の結果からユーザの等色特性を生成する等色特性生成部６０と、等色特性をユーザ情報及び環境情報に関連付けて記憶する等色特性記憶部３０と、その等色特性の中からユーザ情報及び環境情報に基づいて特定のユーザの特定の環境における等色特性を選択する等色特性選択部４０と、入力画像を受け付ける入力画像受付部７０と、入力画像を表示装置に表示するための信号を等色特性を加味して計算する表示信号算出部８０と、その信号に基づいて入力画像を表示する入力画像表示部９０とを備える。  【選択図】  図１
2006203622.tif 000002
【特許請求の範囲】
【請求項１】
入力画像に対し色変換を行うことにより出力画像を生成する色処理方法であって、
ユーザの色の見えに関する特性である等色特性を、当該ユーザの識別情報と関連付けて記憶装置に記憶するステップと、
前記記憶装置に記憶された等色特性の中から特定のユーザの等色特性を当該特定のユーザの識別情報に基づいて選択するステップと、
選択された前記特定のユーザの等色特性に基づいて前記色変換を行うステップと
を含むことを特徴とする色処理方法。
【請求項２】
前記等色特性は、第１の色信号に基づいて記録媒体に記録される色と、第２の色信号に基づいて表示装置に表示される色とが、前記ユーザにとって同等であるとの入力があったことを条件に、当該第１の色信号と当該第２の色信号とを対応付けた情報であることを特徴とする請求項１記載の色処理方法。
【請求項３】
前記出力画像を前記表示装置に表示するステップと、
前記表示装置に表示された出力画像を、前記特定のユーザの指示に応じて前記記録媒体に記録するステップと
を更に含むことを特徴とする請求項２記載の色処理方法。
【請求項４】
前記記憶するステップでは、前記等色特性を環境の識別情報と更に関連付けて記憶し、
選択するステップでは、特定の環境における等色特性を当該特定の環境の識別情報に基づいて選択することを特徴とする請求項１記載の色処理方法。
【請求項５】
ユーザの情報を取得する取得手段と、
記録媒体に記録された色と表示装置に表示された色とが同じに見えるかどうかを判断する等色実験の実施を前記ユーザに指示する指示手段と、
前記取得手段により取得された前記ユーザの情報と、前記等色実験の結果から得られる当該ユーザの等色特性とを関連付けて記憶する記憶手段と
を備えたことを特徴とする等色特性取得装置。
【請求項６】
前記指示手段は、既知の色信号に基づいて色が記録された複数の記録媒体を用いた前記等色実験の実施を指示することを特徴とする請求項５記載の等色特性取得装置。
【請求項７】
入力画像に対し色変換を行うことにより出力画像を生成する色処理装置であって、
各ユーザの色の見えに関する特性である等色特性を記憶する記憶手段と、
前記記憶手段に記憶された各ユーザの等色特性の中から特定のユーザの等色特性を選択する選択手段と、
前記選択手段により選択された前記特定のユーザの等色特性に基づいて前記色変換を行う変換手段と
を備えたことを特徴とする色処理装置。
【請求項８】
前記等色特性は、第１の色信号に基づいて記録媒体に記録される色と、第２の色信号に基づいて表示装置に表示される色とが、前記ユーザにとって同等であるとの入力があったことを条件に、当該第１の色信号と当該第２の色信号とを対応付けた情報であることを特徴とする請求項７記載の色処理装置。
【請求項９】
コンピュータに、
ユーザの情報を取得する機能と、
記録媒体に記録された色と表示装置に表示された色とが同じに見えるかどうかを判断する等色実験の実施を前記ユーザに指示する機能と、
前記ユーザの情報と、前記等色実験の結果から得られる当該ユーザの等色特性とを関連付けて所定の記憶装置に記憶する機能と
を実現させるためのプログラム。
【請求項１０】
コンピュータに、
所定の記憶装置に記憶された各ユーザの色の見えに関する特性である等色特性の中から特定のユーザの等色特性を選択する機能と、
選択された前記特定のユーザの等色特性に基づいて所定の画像に色変換を施す機能と
を実現させるためのプログラム。
【発明の詳細な説明】
【技術分野】
【０００１】
本発明は、入力画像に対し色処理を行うことにより出力画像を生成する色処理方法等に関する。
【背景技術】
【０００２】
現在、カラー画像を表示するための装置としては、ＣＲＴディスプレイや液晶ディスプレイ等の表示装置が一般的である。また、このような表示装置で表示したカラー画像は、電子写真方式やインクジェット方式の印刷装置によって紙等の記録媒体に記録されることも多い。近年では、デジタルカメラで撮影した写真を印刷する機会が多くなっている等の理由から、表示装置に表示されたカラー画像と印刷装置で印刷されたカラー画像との間での色の見えの一致が強く求められるようになっている。
【０００３】
そこで、従来から、これらの異なるメディア間での色再現の一致を目的として、数々の色補正方法が提案されてきている。特に、異なる出力装置を用いたときに、装置固有の色再現域の関連付けを行うことにより両者の見えを一致させようとする試みが多くなされてきた(例えば、特許文献１参照)。この特許文献１では、物体色画像データと光源色画像データ間で色の見えを一致させるように色変換パラメータを演算する方法が提案されている。
【０００４】
【特許文献１】特開平９−９８３００号公報(第３−５頁、第５、６図)
【発明の開示】
【発明が解決しようとする課題】
【０００５】
ところが、国際照明委員会(ＣＩＥ)で定めている標準観測者の視覚感度を用いて計算されるＸＹＺの三刺激値を一致させても、色の見えが一致するとは限らない。即ち、測色的一致を実現しても、色の見えの一致が必ずしも実現できるとは限らないのである。
特許文献１では、光源色、物体色等のモードの違いに起因する分光波形の違い等によって、三刺激値が同じであっても同じ色に見えない場合があることが指摘されている。
しかしながら、三刺激値が同じであっても同じ色に見えないことの原因としては、個人間での視覚特性の違いも考えられる。三刺激値が一致すれば色も一致するという考え方は、多数の被験者の実験結果から、その平均値となるような視覚特性を有する「標準観測者」という仮想人物を想定したものである。いわば最大多数の最大幸福を得られることを目的とした定量的表現の手段とも言うべきものなのである。
【０００６】
図９は、複数の被験者が異種メディア間で等色を行った結果をａ＊ｂ＊平面上に模式的に示したものである。図では、参照色票に対応する座標を「○」で表している。これが、標準観測者の視覚感度を用いて計算される三刺激値に相当するものである。一方、被験者Ａが参照色票の色と同じ色であると知覚した表示装置の色の座標を「△」で、被験者Ｂが参照色票の色と同じ色であると知覚した表示装置の色の座標を「◇」で、それぞれ表している。図９から、(１)参照色票と実際の等色の結果とは完全に一致しない、(２)参照色票と実際の等色の結果とのズレは被験者により異なる、ということが分かる。
【０００７】
しかしながら、一般的な人間の感度と標準観測者の感度との間にどの程度の差があるのか、それが無視できる程度のものなのか、ということに関してはまだ判明していない。それ故に、忠実な色再現のためには、個人の特性までも考慮した色処理システムの実現を考える必要があるのである。
特許文献１では、光源色、物体色等のモードの違いに起因する分光波形の違い等しか考慮していないため、ユーザの色の見えに関する特性を考慮して色変換を行うことができないという問題点があった。
【０００８】
本発明は、以上のような技術的課題を解決するためになされたものであって、その目的は、ユーザの色の見えに関する特性を考慮して色変換を行えるようにすることにある。
また、本発明の他の目的は、特定のユーザの色の見えに関する特性を簡単に求め、その特性を反映させて、表示装置上の色と記録媒体に最終的に記録される色の見えを一致させることにある。
【課題を解決するための手段】
【０００９】
かかる目的のもと、本発明では、ユーザ情報と、ユーザの等色特性とを関連付けて記憶しておき、入力画像から出力画像への色変換をこの等色特性を反映させて行うようにした。即ち、本発明の色処理方法は、入力画像に対し色変換を行うことにより出力画像を生成する方法であり、ユーザの色の見えに関する特性である等色特性を、そのユーザの識別情報と関連付けて記憶装置に記憶するステップと、記憶装置に記憶された等色特性の中から特定のユーザの等色特性をその特定のユーザの識別情報に基づいて選択するステップと、選択された特定のユーザの等色特性に基づいて色変換を行うステップとを含んでいる。
【００１０】
また、本発明は、そのようなユーザの等色特性を取得し登録する等色特性取得装置として捉えることもできる。その場合、本発明の等色特性取得装置は、ユーザの情報を取得する取得手段と、記録媒体に記録された色と表示装置に表示された色とが同じに見えるかどうかを判断する等色実験の実施をユーザに指示する指示手段と、取得手段により取得されたユーザの情報と、等色実験の結果から得られるそのユーザの等色特性とを関連付けて記憶する記憶手段とを備えている。
【００１１】
更に、本発明は、そのような色変換を行う色処理装置として捉えることもできる。その場合、本発明の色処理装置は、入力画像に対し色変換を行うことにより出力画像を生成する装置であり、各ユーザの色の見えに関する特性である等色特性を記憶する記憶手段と、記憶手段に記憶された各ユーザの等色特性の中から特定のユーザの等色特性を選択する選択手段と、選択手段により選択された特定のユーザの等色特性に基づいて色変換を行う変換手段とを備えている。
【００１２】
一方、本発明は、所定の機能をコンピュータに実現するためのプログラムとして捉えることもできる。その場合、本発明のプログラムは、第一に、コンピュータに対し、ユーザの情報を取得する機能と、記録媒体に記録された色と表示装置に表示された色とが同じに見えるかどうかを判断する等色実験の実施をユーザに指示する機能と、ユーザの情報と、等色実験の結果から得られるそのユーザの等色特性とを関連付けて所定の記憶装置に記憶する機能とを実現させるものである。また、第二に、コンピュータに対し、所定の記憶装置に記憶された各ユーザの色の見えに関する特性である等色特性の中から特定のユーザの等色特性を選択する機能と、選択された特定のユーザの等色特性に基づいて所定の画像に色変換を施す機能とを実現させるものである。
【発明の効果】
【００１３】
本発明によれば、ユーザの色の見えに関する特性を考慮して色変換を行うことができる。
【発明を実施するための最良の形態】
【００１４】
以下、添付図面を参照して、本発明を実施するための最良の形態(以下、「実施の形態」という)について詳細に説明する。
図１は、本実施の形態における色処理システムの機能構成を示したブロック図である。
図１に示すように、本実施の形態における色処理システムは、ユーザ情報受付部１０と、環境情報受付部２０と、等色特性記憶部３０と、等色特性選択部４０と、等色結果取得部５０と、等色特性生成部６０と、入力画像受付部７０と、表示信号算出部８０と、入力画像表示部９０とを備えている。
【００１５】
このうち、ユーザ情報受付部１０、環境情報受付部２０、等色特性記憶部３０、等色特性選択部４０、入力画像受付部７０、表示信号算出部８０、入力画像表示部９０からなる部分は、入力画像に対して色変換を行うことにより出力画像を生成する色処理装置として捉えることができる。また、等色結果取得部５０、等色特性生成部６０、等色特性記憶部３０からなる部分は、ユーザの等色特性を取得して登録する等色特性取得装置として捉えることができる。
尚、等色特性とは、ユーザの色の見えに関する特性のことであるが、どのような等色実験により得られるどのような情報であるかについては後述する。
【００１６】
ユーザ情報受付部１０は、ユーザに関する情報(以下、「ユーザ情報」という)を受け付け、環境情報受付部２０は、環境に関する情報(以下、「環境情報」という)を受け付ける。
等色特性記憶部３０は、ユーザの等色特性を記憶する記憶手段であり、等色特性選択部４０は、等色特性記憶部３０に記憶されている等色特性の中からユーザ情報及び環境情報に基づいて特定のユーザの特定の環境における等色特性を選択する選択手段である。
【００１７】
等色結果取得部５０は、ユーザ情報及び環境情報を取得すると共に、等色実験をユーザに指示してその結果を取得する。即ち、ユーザ情報、環境情報、等色実験の結果の取得という観点からは取得手段として把握できる部分であり、等色実験を指示するという観点からは指示手段として把握できる部分である。
等色特性生成部６０は、その等色実験の結果からユーザの等色特性を生成する。
入力画像受付部７０は、入力画像を受け付け、表示信号算出部８０は、入力画像を表示装置に表示するための信号を等色特性を加味して計算し、入力画像表示部９０は、その信号に基づいて入力画像を表示する。これらは、入力画像の色変換を行うという観点から変換手段として把握することができる。
【００１８】
尚、これらの各機能は、ハードウェアのみによっても実現可能であるが、ハードウェアとソフトウェアの組み合わせによっても実現可能である。後者の場合は、色処理システムの図示しないＣＰＵが、例えば、図示しないメモリに記憶されたプログラムを読み込んで実行することにより各機能部が実現される。
【００１９】
ところで、本実施の形態における色処理システムには、ユーザが等色実験を行う際に用いる標準色票(色紙)が備わっている。この標準色票の色については、デバイス非依存の色空間における座標が分かっているものとする。
尚、標準色票は、多ければ多い程、精度が向上する。異なる明度でそれぞれ１０〜１２色用意すれば、ほぼ満足するような色変換を行うことができる。但し、多くの標準色票を用いた等色実験はユーザに過度の負担を強いることにもなるので、ユーザが要求する色再現の精度のレベルに応じた数の標準色票を用いるようにすればよい。
標準色票としては、代表的な色について用意するのが理想的である。例えば、赤、青、緑、ピンク、オレンジ、茶、紫、黄の各色について、若干色の異なる２枚の標準色票を用意し、灰色について１枚の色票を用意する等である。
【００２０】
次に、このように標準色票を用意した場合における標準色票とデバイス非依存の色空間における座標との対応を、図２を参照して説明する。尚、図２では、赤、青、緑の標準色票に関する部分のみを示し、他の色の標準色票に関する部分については省略している。また、本実施の形態では、デバイス非依存の色空間としてＬ＊ａ＊ｂ＊色空間を想定して説明する。
図２では、標準色票を一意に識別する標準色票ＮｏとＬ＊ａ＊ｂ＊色空間における座標とが対応付けられている。例えば、標準色票Ｎｏ１は、Ｌ＊ａ＊ｂ＊色空間における座標(５０，５０，０)と対応付けられており、標準色票Ｎｏ２は、Ｌ＊ａ＊ｂ＊色空間における座標(５０，４０，２０)と対応付けられている。また、各標準色票の色が何色であるか、及び、その色について用意された２枚のいずれであるかは、この対応情報において管理されるものではないが、理解を容易にするため欄外に示しておく。つまり、標準色票Ｎｏ１は、赤の一番目の標準色票であり、標準色票Ｎｏ４は、青の二番目の標準色票である。
尚、本実施の形態では、以下の説明を単純化するため、全ての標準色票について、Ｌ＊は５０としている。
【００２１】
次に、本実施の形態における色処理システムの動作の一例を説明する。
まず、実際に色処理を行うユーザがそのユーザ情報を入力し、ユーザ情報受付部１０が、ユーザ情報を受け付ける。ここで、ユーザ情報には、少なくともそのユーザを識別するための情報が含まれており、これによってユーザの特定がなされる。また、環境情報受付部２０は、表示装置の周囲の環境情報を取得する。環境情報としては、例えば、表示装置の置かれた場所の照明条件等がある。照明条件は、表示装置に設けられたセンサによって取得してもよいし、登録されている複数の照明条件の中からユーザに選択させることによって取得してもよい。
【００２２】
このようにして取得されたユーザ情報及び環境情報は、等色特性選択部４０に受け渡される。そして、等色特性選択部４０は、等色特性記憶部３０に記憶されたユーザの環境ごとの等色特性の中から、受け渡されたユーザ情報及び環境情報に対応する等色特性を検索する。
ここで、該当する等色特性が等色特性記憶部３０に保持されていない場合には、検索は失敗し、そのユーザのその環境における等色特性を取得し登録するための処理が開始される。
【００２３】
ユーザの等色特性の取得は、基本的には標準色票と表示装置との間の色の見えを一致させるようにユーザに調整を行わせることで行われる。色の調整作業を行うに先立ち、ユーザは数分間その作業環境において順応を行い、視覚系の感度が安定するのを待つ。
その後、ユーザが視覚系の感度の安定を色処理システムに伝えると、色処理システムは、図３のフローチャートに従った動作を行う。
【００２４】
まず、等色結果取得部５０は、ユーザ情報を取得する(ステップ１０１)と共に、環境情報を取得する(ステップ１０２)。尚、ユーザ情報及び環境情報は、それぞれユーザ情報受付部１０及び環境情報受付部２０から等色特性選択部４０に受け渡されているので、そこから取得すればよい。
次に、色処理システムに予め備わっている複数の標準色票の中から１つの標準色票を指定して等色を行うようユーザに指示する(ステップ１０３)。この指示により、ユーザは、指定された標準色票と、表示装置の色の見えが一致するように調整を行う。その調整作業の具体的なイメージについて図４に示す。
【００２５】
図４(ａ)は、色調整の一実施例を示したものである。この例では、中央に開口部が設けられた標準色票を用いる。標準色票を表示装置に重ねると、標準色票の開口部から表示装置に表示された色を見ることができる。これにより、開口部に表示された色が周辺に置かれた標準色票と等色するように表示装置への色信号を変化させる。色信号を変化させる方法としては、ＲＧＢのような表示装置への信号を直接的に変更する方法であってもよいし、赤み・緑みといった色相(色み)、及び彩度(鮮やかさ)や明度(明るさ)を変更する方法であってもよい。
【００２６】
図４(ｂ)は、色調整の他の実施例を示したものである。この例では、標準色票に開口部を設けるのではなく、標準色票と等色を行う表示装置上の色とを並置している。
しかしながら、等色の方法は、これらに限られるわけではなく、他のいかなる方法を用いてもよい。例えば、上記のような、ユーザが色相、彩度、明度を直接調整する方法だけではなく、候補となる複数のパッチの中から一番色が近似すると思うものをユーザが選択するような方法も考えられる。
【００２７】
次に、等色結果取得部５０は、等色の結果を取得する(ステップ１０４)。そして、全ての標準色票について等色を行ったかどうかを判定する(ステップ１０５)。その結果、全ての標準色票について等色を行っていないと判定されれば、ステップ１０３へ戻り、全ての標準色票について等色を行ったと判定されれば、ステップ１０６へ進む。
【００２８】
ここで、図５を参照して、全ての標準色票について等色を行ったと判定された時点での等色結果について説明する。
図５に示すように、等色結果は、ステップ１０１で取得したユーザ情報と、ステップ１０２で取得した環境情報と関連付けられて保持されている。具体的には、図５では、ユーザ情報として、ユーザＩＤ「Ｕ０１」が関連付けられ、環境情報としては、照明条件「Ｄ５０」が関連付けられている。尚、照明条件の「Ｄ５０」とは、ＣＩＥ標準光源のうちの一つである。
【００２９】
また、標準色票Ｎｏに対し、その標準色票の色と同じに見える色を表示装置に表示するための色信号を対応付けている。例えば、標準色票Ｎｏ１の色と同じに見える色を表示装置に表示するための色信号は、Ｌ＊ａ＊ｂ＊色空間における座標で表すと、(５０＋△Ｌ１，５０＋△ａ１，０＋△ｂ１)となっている。また、標準色票Ｎｏ２の色と同じに見える色を表示装置に表示する色信号は、Ｌ＊ａ＊ｂ＊色空間における座標で表すと、(５０＋△Ｌ２，４０＋△ａ２，２０＋△ｂ２)となっている。ここで、等色によって得られた座標の標準色票に対応する座標からのズレは、標準色票Ｎｏ１の場合、(△Ｌ１，△ａ１，△ｂ１)であり、標準色票Ｎｏ２の場合、(△Ｌ２，△ａ２，△ｂ２)である。以下、このズレのことを、差分データと呼ぶことにする。
【００３０】
このような等色結果が得られると、等色特性生成部６０に制御が渡され、等色特性生成部６０は、等色結果に対し補間処理を行うことにより、ユーザの等色特性を生成する(ステップ１０６)。標準色票は、ユーザが等色実験を行うに耐えられる程度の枚数しか用意できない。従って、その限られた色について得られたユーザの等色特性を、あらゆる色について適用できる等色特性にまで拡張するには、特殊な補間処理を行う必要がある。この補間処理については、後で詳細に説明する。
【００３１】
その後、等色特性生成部６０は、等色特性をユーザに確認させる(ステップ１０７)。この場合、ステップ１０６の補間処理により新たに生成された等色特性の中から任意のデータを取り出してユーザに提示することにより確認させるのが望ましい。そして、等色特性生成部６０は、登録しても良い旨の入力があったかどうかを判定する(ステップ１０８)。
その結果、登録しても良い旨の入力がないと判定されれば、ステップ１０３に戻る。
一方、登録しても良い旨の入力があったと判定されれば、ステップ１０１で取得したユーザ情報と、ステップ１０２で取得した環境情報と、ステップ１０３〜１０６で得られた等色特性とを対応付けて等色特性記憶部３０に登録する(ステップ１０９)。
【００３２】
ここで、図３のステップ１０６における補間処理について、図６及び図７を参照して詳細に説明する。
図６は、等色特性生成部６０による補間処理の動作を示したフローチャートである。
まず、等色特性生成部６０は、Ｌ＊ａ＊ｂ＊で表される色信号のうち、ユーザの等色特性が対応付けられていない１つの色信号に着目する(ステップ２０１)。
そして、この着目した色信号に基づいて記録媒体に記録される色と同じであるとユーザによって知覚される色を表示装置に表示するための色信号を、補間によって求める。
【００３３】
具体的には、まず、既に等色特性が得られている標準色票の色の中から補間を行う際に用いる標準色票を特定する(ステップ２０２)。
次に、その特定された標準色票についての差分データを取り出す(ステップ２０３)。
また、等色特性生成部６０は、着目している色信号の補正量を差分データに基づいて求め(ステップ２０４)、着目している色信号と補正後の色信号との対応をメモリに出力する(ステップ２０５)。
最後に、等色特性生成部６０は、処理対象の色信号が他にあるかどうかを判定する(ステップ２０６)。即ち、Ｌ＊ａ＊ｂ＊色空間における所定間隔の格子点の全てに対し補正後の色信号が対応付けられたかどうかを判定する。その結果、処理対象の色信号がまだあると判定された場合は、ステップ２０１〜２０５の処理を繰り返す。一方、処理対象の色信号がもうないと判定された場合は、処理を終了する。
【００３４】
以上の補間処理について、図７を参照して具体的に説明する。
図７は、ａ＊ｂ＊平面上で、着目色Ｐの補正量を求める方法を模式的に示したものである。即ち、ステップ２０１で着目した色信号が着目色Ｐである場合のステップ２０２〜２０５の処理を具体的に説明するものである。
ステップ２０２における標準色票の特定は、次のようにして行う。即ち、全ての標準色票の色の色相角のうち、着目色Ｐの色相角よりも大きい色相角の中で最小の色相角と、着目色Ｐの色相角よりも小さい色相角の中で最大の色相角とを求め、求められた２つの色相角に対する色を補間に用いる色とする。図７では、標準色票「赤１」と標準色票「赤２」とが補間に用いる色となる。即ち、着目色Ｐが「赤１」と「赤２」の間に入っているので、これらが補間処理において用いられる。
【００３５】
ステップ２０３で取り出される差分データは、図示するように、標準色票「赤１」については(△ａ１，△ｂ１)であり、標準色票「赤２」については(△ａ２，△ｂ２)である。
これらの差分データを用いてＰの補正を行う。
補正の方法としては、これらの差分データを重み付けして加え合わせることが考えられる。即ち、補正すべき色の色相角を求め、それが「赤１」と「赤２」をどのように内分するかを求める。図７では、ｄ１：ｄ２に内分している。従って、Ｐのａ成分に対する補正量△ａ、及び、ｂ成分に対する補正量△ｂは、次の式により求めることができる。
△ａ＝ｄ２×△ａ１＋ｄ１×△ａ２
△ｂ＝ｄ２×△ｂ１＋ｄ１×△ｂ２
尚、これらの補正量を用いて補正を行った後のＰ’と、補正前のＰとでは、通常、彩度(ｃ＊)が異なってくる。そこで、補正後のＰ’に対し、補正前のＰの彩度を保持するような調整を更に加えてもよい。
【００３６】
また、異なる色カテゴリに属する標準色票を用いて補正量を算出する場合は、色カテゴリに応じて重み付けを変えることも可能であり、そのほうが好ましい。補正対象の色と同一の色カテゴリに属する標準色票についての差分データに対しては、例えば、重みを３倍にする等である。尚、任意の色がどの色カテゴリに属するかは、公知の手法を用いて判断することが可能であるので、ここでは詳しい説明を省略する。
また、図７の例では、色相角の比に基づいて重み付けを決定したが、ａ＊ｂ＊平面上の距離の比に基づいて重み付けを決定するようにしてもよい。
更に、図７では、明度の違いについて考慮しなかったが、明度方向について重み付けを変えるようにしてもよい。
【００３７】
ここで、図８を参照して、図３のステップ１０９で登録される等色特性について説明する。
図８に示すように、等色特性は、ユーザＩＤ「Ｕ０１」と、照明条件「Ｄ５０」とに関連付けられている。
また、等色特性は、Ｌ＊、ａ＊、ｂ＊に対し、ユーザ「Ｕ０１」による等色結果から得られた色信号であるＬ＊(Ｕ０１)、ａ＊(Ｕ０１)、ｂ＊(Ｕ０１)を対応付けたものとなっている。即ち、Ｌ＊、ａ＊、ｂ＊に基づいて記録媒体に記録された色と、Ｌ＊(Ｕ０１)、ａ＊(Ｕ０１)、ｂ＊(Ｕ０１)に基づいて表示装置に表示された色とが同じに見える場合に、それらを対応付けたルックアップテーブルである。
【００３８】
このようにして、ユーザの等色特性が等色特性記憶部３０に記憶されると、等色特性選択部４０による等色特性の検索は成功する。そして、この選択されたユーザの等色特性に基づいて、入力画像に対する色処理が行われる。ここでは、入力画像に対し、ユーザ等色特性に基づき、そのユーザにとっての色の見えが標準色票を用いて求められたものとなるような処理が行われるのである。
具体的には、入力画像受付部７０が入力画像を受け付ける。そして、表示信号算出部８０が、等色特性選択部４０から渡されたユーザの等色特性を反映させて表示信号を算出する。例えば、図８のような等色特性が得られている場合、(Ｌ１，ａ１，ｂ１)という信号の入力に対し、(Ｌ１’，ａ１’，ｂ１’)という信号を出力することになる。
【００３９】
そして、入力画像表示部９０は、表示信号算出部８０によって算出された表示信号に基づいて、画像を表示する。この表示された画像の色は、入力画像を印刷装置で印刷した際に記録媒体に記録される色を示すものである。そこで、ユーザは、この色に満足すれば、印刷装置による印刷を指示する。
一方、ユーザがこの色に満足しない場合は、色調整を行った上で印刷を指示するようにしてもよい。また、色調整後の画像に対し、再度、等色特性を反映させるよう変換を行ってもよい。
【００４０】
尚、本実施の形態では、Ｌ＊ａ＊ｂ＊色空間内の格子点と、等色特性を反映させたＬ＊ａ＊ｂ＊色空間内の格子点とを対応付けたルックアップテーブルを等色特性として作成したが、同じ作用を有する等色特性であれば、いかなる形式のものを作成するようにしてもよい。また、等色実験の結果から得られたＬ＊、ａ＊、ｂ＊とＬ＊(Ｕ０１)、ａ＊(Ｕ０１)、ｂ＊(Ｕ０１)との対応のみを等色特性として保持し、変換すべき色信号が与えられた時点で動的にステップ２０１〜２０５のような補間処理を行い、対応する色信号を計算するようにしてもよい。
【００４１】
更に、本実施の形態では、特定のユーザの等色特性に基づく色変換を行う際に、該当する等色特性が等色特性記憶部３０に記憶されていなければ、等色特性を取得し登録する動作を開始するようにした。しかしながら、等色特性の登録は、色変換処理と全く非同期に行うようにしてもよい。
更にまた、本実施の形態では、ユーザ情報と、環境情報と、あるユーザのある環境における等色特性とを関連付けて記憶するようにした。しかしながら、環境情報については、必ずしも対応付けておく必要はない。つまり、環境とは関係なく、ユーザ情報と等色特性との対応のみを記憶するような構成であっても構わない。
【００４２】
また、本実施の形態では、色処理を行うハードウェアを特に限定して述べなかったが、色処理システムのうち、等色特性取得装置として捉えることのできる部分については、パーソナルコンピュータ等のコンピュータにおいて実現することが可能である。
また、入力画像に対して色変換を行うことにより出力画像を生成する色処理装置として捉えることのできる部分については、パーソナルコンピュータ等のコンピュータにおいて実現するようにしてもよいし、画像形成装置の画像処理部(ＩＰＳ)において実現するようにしてもよい。
尚、複数の表示装置を用いることが想定される場合は、等色特性もこれら複数の表示装置のそれぞれに対して設けることが望ましい。
【００４３】
以上述べたように、本実施の形態では、少なくとも、ユーザ情報と、ユーザの等色特性とを関連付けて記憶しておき、入力画像から出力画像への色変換をこの等色特性を反映させて行うようにした。これにより、ユーザの個人差を吸収しつつ忠実な色再現を実現するような色処理システムを構築することができる。また、等色特性をユーザ情報だけでなく、環境情報とも関連付けるようにしたことにより、例えば、照明条件に関する自由度を高めることができる。
また、一の色信号に基づいて記録媒体に記録される色と、他の色信号に基づいて表示装置に表示される色とが、ユーザにとって同等であるとの入力があった場合に、これらの色信号の対応情報を記憶しておき、入力画像に基づく印刷の前処理として、この対応情報に基づいて色変換された画像を表示装置に表示するようにした。これにより、特定のユーザの色の見えに関する特性を反映させて、表示装置上の色と記録媒体に最終的に記録される色の見えを一致させることができるようになった。
【図面の簡単な説明】
【００４４】
【図１】本発明の実施の形態における色処理システムの機能構成を示した図である。
【図２】本発明の実施の形態の色処理システムに備わっている標準色票とＬ＊ａ＊ｂ＊との対応の例を示した図である。
【図３】本発明の実施の形態の色処理システムにおける等色特性登録時の動作を示したフローチャートである。
【図４】本発明の実施の形態において行われる等色実験の例を示した図である。
【図５】本発明の実施の形態の色処理システムで取得される等色実験の結果を示した図である。
【図６】本発明の実施の形態の色処理システムにおける等色特性生成時の動作を示したフローチャートである。
【図７】本発明の実施の形態の色処理システムにおける等色特性の生成について具体的に説明するための図である。
【図８】本発明の実施の形態の色処理システムにおいて記憶される等色特性の例を示した図である。
【図９】等色が成立した時の測色点の個人間の違いを説明するための図である。
【符号の説明】
【００４５】
１０…ユーザ情報受付部、２０…環境情報受付部、３０…等色特性記憶部、４０…等色特性選択部、５０…等色結果取得部、６０…等色特性生成部、７０…入力画像受付部、８０…表示信号算出部、９０…入力画像表示部
【図１】
2006203622.tif 000003
【図２】
2006203622.tif 000004
【図３】
2006203622.tif 000005
【図４】
2006203622.tif 000006
【図５】
2006203622.tif 000007
【図６】
2006203622.tif 000008
【図７】
2006203622.tif 000009
【図８】
2006203622.tif 000010
【図９】
2006203622.tif 000011